(57)【要約】      （修正有）【課題】照明効果を高めると共に、設計の自由度並びにデザイン的な柔軟性を高め、その使用状態も外部から容易に把握可能に表示することができる、照明機能を備えたテーブルを提供する。【解決手段】照明機能を備えたテーブル１は、少なくとも一端にスリット２ａが設けられた机面構成部２と、机面構成部２を所定高さで支える脚部３ａ乃至３ｄと、机面構成部２に配設されるもので、光源と当該光源の光を拡散する導光板とからなる照明部４とを備え、照明部４の導光板５ａは机面構成部２のスリット２ａから当該机面構成部の机面より上方に所定長だけ延出しており、更に導光板５ｂは机面構成部２の底面より下方に床面より所定長のところまで延出している。【選択図】図１
0003179644.tif 000002
【実用新案登録請求の範囲】
【請求項１】
少なくとも一端の近傍にスリットが設けられた机面構成部と、
前記机面構成部を所定高さで支える複数の脚部と、
前記机面構成部に配設されるもので、光源と当該光源の光を拡散する導光板とからなる照明部と、を備え、
前記照明部の導光板は前記机面構成部のスリットから当該机面構成部の机面より上方に所定長だけ延出しており、更に前記机面構成部の底面より下方に床面より所定長のところまで延出していること
を特徴とする照明機能を備えたテーブル。
【請求項２】
前記照明部は、前記机面構成部の内部に固定され前記スリットを介して当該机面構成部の机面より上方に所定長だけ延出した第１の導光板と、当該第１の導光板に固定された第１の光源とからなる第１照明部と、
前記机面構成部の内部に固定され下方に向けて床面より所定長のところまで延出した第２の導光板と、当該第２の導光板に固定された第２の光源とからなる第２照明部と、に分かれていること
を特徴とする請求項１に記載の照明機能を備えたテーブル。
【請求項３】
前記第１の光源は、前記第１の導光板の側面に対向するように固定されており、
前記第２の光源は、前記第２の導光板の側面に対向するように固定されていること
を特徴とする請求項２に記載の照明機能を備えたテーブル。
【請求項４】
前記第１の光源は、前記机面構成部の略中央付近において、前記第１の導光板の一側面にソケットにより当該側面に対向するように固定されており、
前記第２の光源は、机面構成部２の略中央付近において、前記第２の導光板の一側面にソケットにより当該側面に対向するように固定されていること
を特徴とする請求項２に記載の照明機能を備えたテーブル。
【請求項５】
前記光源の光の照度を調光するための調光手段を有すること
を特徴とする請求項１に記載の照明機能を備えたテーブル。
【請求項６】
前記第１の照明部を構成する前記第１の導光板の一主面にはドット痕が形成されており、前記第１の光源からの光は当該ドット痕で拡散され照明光となること
を特徴とする請求項２に記載の照明機能を備えたテーブル。
【請求項７】
前記第１の照明部を構成する前記第１の導光板の他主面には意匠付きフィルムが貼付されること
を特徴とする請求項６に記載の照明機能を備えたテーブル。
【請求項８】
前記第２の照明部を構成する前記第２の導光板の一主面及び他主面にはドット痕が形成されており、前記第２の光源からの光は当該ドット痕で拡散され照明光となること
を特徴とする請求項２に記載の照明機能を備えたテーブル。
【考案の詳細な説明】
【技術分野】
【０００１】
本考案は、例えばＬＥＤ（Light Emitting Diode）光源からの光を照射する照明機能を備えたテーブルに関する。
【背景技術】
【０００２】
従来、オフィスや商談会場等で使用されるテーブルについては、手元照明や全体照明をいかに効率よく行うかが課題とされており、その課題を解決するために種々の技術が提案されている。例えば、特許文献１では、効率的な全体照明を行うオフィス等での使用形態に即したテーブルが提案されている。即ち、このテーブルでは、天板の略全面を照明し得る照明器具を照明指示手段で共通領域の上方に保持している。
【０００３】
一方、照明のためのバックライト装置についても種々の提案がなされている。例えば特許文献２では、超音波加工用ホーンの先端面を導光板用基板の一主面及び他主面の少なくともいずれかに押圧させて加工ドットを反映した反射ドットを形成させ、超音波加工用ホーンを導光板用基板に対して一主面及び他主面の少なくともいずれかの面内で相対的に移動させて反射ドットの形成を繰り返し、導光板用基板の一主面又は他主面の少なくともいずれかの所定範囲に反射ドットを形成した導光板を有するバックライト装置が開示されている。このバックライト装置は、看板等に用いられるものである。
【先行技術文献】
【特許文献】
【０００４】
【特許文献１】特開２００１−０６１５６３号公報
【特許文献１】特開２０１０−２５７８４６号公報
【考案の概要】
【考案が解決しようとする課題】
【０００５】
しかしながら、上記特許文献１に開示されたテーブルでは、照明器具を配設するために支柱や照明指示手段が別途必要となり、また上方から天板の略全面を照明するものであることから設置場所も天板の上方に確保しなければならず、設計にも自由度がない。
【０００６】
その一方で、特許文献２に開示されたような導光板を用いたバックライト装置も提案されてはいるものの、このようなバックライト装置をテーブルの照明のために使用することを開示した先行例は存在しない。
【０００７】
また、一般に、テーブルでは、照明効果を高める場合でもあってもテーブルに本来的に要求されるデザイン性も兼ね備えることが求められている。
【０００８】
そして、商談会場等で使用されるテーブルでは、そのテーブルが商談に使用されている最中なのか否かを外部から容易に把握可能にすることも嘱望されている。
【０００９】
そこで、本考案は上述したような技術的な課題に鑑みてなされたもので、照明効果を高めると共に、設計の自由度、デザイン的な柔軟性を高め、その使用状態も外部から容易に把握可能に表示することができる、照明機能を備えたテーブルを提供することを目的とする。
【課題を解決するための手段】
【００１０】
上述した技術的な課題を解決するために、本考案の一態様に係る照明機能を備えたテーブルは、少なくとも一端の近傍にスリットが設けられた机面構成部と、机面構成部を所定高さで支える複数の脚部と、机面構成部に配設されるもので、光源と当該光源の光を拡散する導光板とからなる照明部と、を備え、照明部の導光板は机面構成部のスリットから当該机面構成部の机面より上方に所定長だけ延出しており、更に机面構成部の底面より下方に床面より所定長のところまで延出していることを特徴とする。
【考案の効果】
【００１１】
本考案に係る照明機能を備えたテーブルによれば、照明効果を高めると共に、設計の自由度、デザイン的な柔軟性を高め、その使用状態も外部から容易に把握可能に表示することが可能となる。
【図面の簡単な説明】
【００１２】
【図１】本考案の一実施形態に係る照明機能を備えたテーブルの斜視図である。
【図２】本考案の一実施形態に係る照明機能を備えたテーブルの正面図である。
【図３】本考案の一実施形態に係る照明機能を備えたテーブルの側面図である。
【図４】本考案の一実施形態に係る照明機能を備えたテーブルの上面図である。
【図５】本考案の一実施形態に係る照明機能を備えたテーブルの側面断面図である。
【図６】図５の一部拡大図である。
【図７】本考案の一実施形態に係る照明機能を備えたテーブルの正面断面図である。
【考案を実施するための形態】
【００１３】
以下、本考案の照明機能を備えたテーブルに係る好適な実施形態について図面を参照しながら説明する。なお、本考案の照明機能を備えたテーブルは、以下の記述に限定されるものではなく、本考案の要旨を逸脱しない範囲において、適宜変更可能である。
【００１４】
図１には本考案の一実施形態に係る照明機能を備えたテーブルの斜視図を示し、図２には当該テーブルの正面図を示し、図３には当該テーブルの側面図を示し、図４には当該テーブルの上面図を示し、説明する。
【００１５】
これらの図１乃至４に示されるように、この実施形態に係る照明機能を備えたテーブル１は、少なくとも一端にスリット２ａが設けられた机面構成部２と、この机面構成部２を所定高さで支える複数（この例では４本）の脚部３ａ乃至３ｄと、この机面構成部２に配設されるもので、光源（図６の符号８ａ，８ｂで後述）と当該光源の光を拡散する導光板５ａ，５ｂとからなる照明部４とを備えている。
【００１６】
そして、照明部４の導光板５ａは机面構成部２のスリット２ａから当該机面構成部２の机面より上方に所定長だけ延出しており、更に導光板５ｂは机面構成部２の底面より下方に床面より所定長のところまで延出している。この例では、導光板５ａは、机面から上方に１０ｃｍだけ延出している。さらに、導光板５ｂは、床面より３ｃｍのところまで延出している。ただし、これらに限定されるものではない。
【００１７】
導光板５ａの一主面にはドット痕が形成されており、光源からの光は当該ドット痕で拡散され照明光となる。導光板５ａの他主面には意匠付きフィルムが貼付される。即ち、文字や図形、記号、模様等が付されたフィルムが貼付される。これにより、例えば社標等のロゴマーク等を表示することが可能となる。一方、導光板５ｂの一主面及び他主面にはドット痕が形成されており、光源からの光は当該ドット痕で拡散され照明光となる。これにより、着座しているユーザーの足を隠すことが可能となる。
【００１８】
前述したように、照明部４の導光板５ａは、机面から突出しているので、外部から人の目につきやすく、当該導光板５ａより照明光が照射されているときには、その照明機能付きテーブルが商談等で使用中であることを、仮に一時的に席を外しているような場合でも容易に把握することが可能となる。また、机面側には拡散光が照射されるので、手元照明が確保されることにもなる。
【００１９】
次に、図５には本考案の一実施形態に係る照明機能を備えたテーブルの側面断面図を示し、図６には図５の一部拡大図を示し、図７には当該テーブルの正面断面図を示し、各部の詳細について説明する。
【００２０】
図５，６に示されるように、この例では照明部４は２つの部分に分けられている。導光板５ａは、その一端が机面構成部２の内部支持面２ｂにボルト６ａで固定されており、机面構成部２のスリット２ａを介して机面から所定長だけ延出している。即ち、机面に対して垂直な方向に延出している。導光板５ａの一端には、複数のＬＥＤが配列されたＬＥＤユニット、即ち光源８ａがソケット７ａにより固定されている。光源８ａは、導光板５ａの側面にＬＥＤが対向するようにソケット７ａにより位置決めされている。尚、この例では、導光板５ａは机面よりも１０ｃｍだけ延出しているが、これに限定されない。
【００２１】
一方、導光板５ｂは、その一端が机面構成部２の内部支持面２ｂにボルト６ｂで固定されており、机面構成部２の下方に床面から所定長のところまで机面に対して垂直な方向に延出している。この例では床面から３ｃｍの高さのところまで延出している。但し、これには限定されない。この導光板５ｂの一端には、複数のＬＥＤが配列されたＬＥＤユニット、即ち光源８ｂがソケット７ｂにより固定されている。光源８ｂは、導光板５ｂの側面にＬＥＤが対向するようにソケット７ｂにより位置決めされている。
【００２２】
即ち、照明部４は、机面構成部２の内部で固定されスリット２ａを介して当該机面構成部２の机面より上方に所定長だけ延出した第１の導光板としての導光板５ａと、当該導光板５ａに固定された第１の光源としての光源８ａとからなる第１照明部１１ａと、机面構成部２の内部で固定され下方に向けて床面より所定長のところまで延出した第２の導光板としての導光板５ｂと、当該導光板５ｂに固定された第２の光源としての光源８ｂとからなる第２照明部１１ｂと、からなる。
【００２３】
机面構成部２の内部には、電源制御部１０が配設されている。電源制御部１０は、外部電源から供給された交流電流を、光源８ａ，８ｂのＬＥＤ素子の駆動に適した例えば直流電流に変換するコンバータも概念上含まれている。この電源制御部１０から供給される直流電流は不図示の配線を介して光源８ａ，８ｂのＬＥＤ素子に供給される。なお、この例では、更に光源の光の照度を調光するための調光手段９も装備されているので、周囲の環境の併せた照度設定も可能となる。
【００２４】
尚、導光板５ａ，５ｂが机面構成部２の内部支持面２ｂにボルト６ａ，６ｂで固定されている様子は図７に示されている。同図に示されるように、この例では、各４箇所、ボルトによる固定がなされているが、これに限定されるものではない。また、導光板５ａの外側の主面にはシール２０が貼り付けされている。ここでは、文字が形成されたシールを例示したが、図形、記号、ロゴ、模様等、各種のものを採用することができる。また、文字等が形成されたシールを貼付するのに代えて、これら文字や図形等を導光板５ａ，５ｂの主面等に彫刻することとしてもよい。
【００２５】
以上説明したように、本考案の照明機能を備えたテーブルによれば、照明効果を高めると共に、設計の自由度、デザイン的な柔軟性を高め、その使用状態も外部から容易に把握可能に表示することが可能となる。
【００２６】
尚、この考案には以下の概念も含まれる。
【００２７】
即ち、少なくとも一端にスリット２ａが設けられた机面構成部２と、机面構成部２を所定高さで支える複数の脚部３ａ乃至３ｄと、机面構成部２に配設されるもので、光源８ａ，８ｂと当該光源の光を拡散する導光板５ａ，５ｂとからなる照明部４とを備え、照明部４の導光板５ａは机面構成部２のスリット２ａから当該机面構成部２の机面より上方に所定長だけ延出しており、更に導光板５ｂは机面構成部２の底面より下方に床面より所定長のところまで延出していることを特徴とする照明機能を備えたテーブルが提供される。これによれば、導光板５ａの状態により当該テーブルが使用中（点灯中）であるか、非使用中（消灯中）であるかを外部の人が一目で把握することができる。さらに、手元照明を確保することが可能となる。さらに、導光板５ｂが床面から所定長のところまで延出されているので、着座した人の足元を隠すことができる。
【００２８】
ここで、照明部４は、机面構成部２の内部で固定され前記スリット２ａを介して当該机面構成部２の机面より上方に所定長だけ延出した第１の導光板としての導光板５ａと、当該導光板５ａに固定された第１の光源としての光源８ａからなる第１照明部１１ａと、机面構成部２の内部で固定され下方に向けて床面より所定長のところまで延出した第２の導光板としての導光板５ｂと、当該導光板５ｂに固定された第２の光源としての光源８ｂとからなる第２照明部１１ｂと、に分かれていることとしてもよい。これによれば、上下方向に照明部が２分されており、各部に光源が設けられているので十分な光量を確保することが可能となる。
【００２９】
また、第１の光源としての光源８ａは、第１の導光板としての導光板５ａの側面に対向するように固定されており、第２の光源としての光源８ｂは、第２の導光板としての導光板５ｂの側面に対向するように固定されていることとしてもよい。これによれば、各光源８ａ，８ｂから照射された光が各導光板５ａ，５ｂの側面から効率良く取り込まれ、該導光板５ａ，５ｂからの出射光となることができる。即ち、良好な発光効率の下で照明光を得ることが可能となる。
【００３０】
さらに、第１の光源としての光源８ａは、机面構成部２の略中央付近において、第１の導光板としての導光板５ａの一側面にソケット７ａにより当該側面に対向するように固定されており、第２の光源としての光源８ｂは、机面構成部２の略中央付近において、第２の導光板としての導光板５ｂの一側面にソケット７ｂにより当該側面に対向するように固定されていることとしてもよい。これによれば、ソケット７ａ，７ｂにより光源と導光板との位置関係が良好な状態で維持されることになる。
【００３１】
そして、光源の光の照度を調光するための調光手段９を有することとしてもよい。これによれば、周囲環境に応じた適正な照度での発光を実現することができる。
【００３２】
また、第１の照明部１１ａを構成する第１の導光板としての導光板５ａの一主面にはドット痕が形成されており、第１の光源からの光は当該ドット痕で拡散され照明光となることとしてもよい。これによれば、手元照明が確保される。更に、使用状態が目視可能に表示される。
【００３３】
さらに、第１の照明部１１ａを構成する第１の導光板としての導光板５ａの他主面には意匠付きフィルムが貼付されることとしてもよい。これによれば、商談等においてそのブースの出展社名等を観覧者にアピールすることが可能となる。
【００３４】
そして、第２の照明部１１ｂを構成する第２の導光板としての導光板５ｂの一主面及び他主面にはドット痕が形成されており、第２の光源からの光は当該ドット痕で拡散され照明光となることとしてもよい。これによれば、着座した人の足を隠すことが可能となると共に、足元の照明を確保することも可能となる。
【００３５】
以上、本考案の一実施形態に係る照明機能を備えたテーブルを説明したが、本考案はこれに限定されることなく、その主旨を逸脱しない範囲で種々の改良・変更が可能であることは勿論である。
【００３６】
例えば、上記実施形態では、光源８ａ，８ｂを脚部３ａ〜３ｄに平行な導光板５ａ，５ｂの側面に配設する例を示したが、これに限定されることなく、脚部３ａ〜３ｄに垂直な導光板５ａ，５ｂの側面に配設することとしてもよい。
【００３７】
さらに、導光板に形成されるドット痕は、凹状又は凸状のライン痕であってもよい。
【００３８】
また、上記実施形態では、照明部４を机面構成部２の一つの辺近傍に設ける例を示したが、これに限定されず、４辺の２、３か所近傍に設けてもよい。さらに、机面から上方に延出する部分を高くすれば、間仕切り（パーテーション）としての機能も発揮するようになることは勿論である。その他、光源を構成するＬＥＤの発光色を変更すれば、多種多様な照明が実現される。
【符号の説明】
【００３９】
１  照明機能を備えたテーブル
２  机面構成部
２ａ  スリット
２ｂ  内部支持面
３ａ〜３ｄ  脚部
４  照明部
５ａ，５ｂ  導光板
６ａ，６ｂ  ボルト
７ａ，７ｂ  ソケット
８ａ，８ｂ  光源
９  調光手段
１０  電源制御部
１１ａ  第１照明部
１１ｂ  第２照明部
２０  シール
【図１】
0003179644.tif 000003
【図２】
0003179644.tif 000004
【図３】
0003179644.tif 000005
【図４】
0003179644.tif 000006
【図５】
0003179644.tif 000007
【図６】
0003179644.tif 000008
【図７】
0003179644.tif 000009